【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
光ディスクに照射する出射光を出射する光源と、
上記光源と上記光ディスクとの間の光路上に配置され、上記光源から出射される出射光を平行光に整形する第１のレンズと、
上記第１のレンズを保持する第１のレンズホルダと、
上記光ディスクの反射光を、上記光源から出射された出射光の光路から分離する分離手段と、
上記分離手段から出力される上記光ディスクの反射光を検出する光検出手段と、
上記分離手段と上記光検出手段との間の反射光の光路上に配置され、上記分離手段から出力される上記光ディスクの反射光を集光して上記光検出手段に入射させる第２のレンズと、
上記第２のレンズを保持する第２のレンズホルダと、
上記第１のレンズホルダを位置決めする第１の位置決め凹部と、上記第２のレンズホルダを位置決めする第２の位置決め凹部とが形成されたベースとを備え、
上記第１の位置決め凹部は、上記第１のレンズホルダの外周面を２点支持し、
上記第２の位置決め凹部は、上記第２のレンズホルダの外周面を２点支持し、
上記第１のレンズホルダ、上記第２のレンズホルダ、及び上記ベースは、それぞれ下記式１に示す条件を満たす材料によって作製されていること
を特徴とする光ピックアップ装置。
（α１−αｂ）／（α２−αｂ）×Ｒ１／Ｒ２×ｓｉｎｂ／ｓｉｎａ＝Ｆ１／Ｆ２…式１
（但し、α１は上記第１のレンズホルダを作製する材料の線膨張率であり、α２は上記第２のレンズホルダを作製する材料の線膨張率であり、αｂは上記ベースを作製する材料の線膨張率であり、Ｒ１は上記第１のレンズの中心から上記ベースまでの距離であり、Ｒ２は上記第２のレンズの中心から上記ベースまでの距離であり、Ｆ１は上記第１のレンズにおける実効焦点距離であり、Ｆ２は上記第２のレンズにおける実効焦点距離であり、ａは第１の位置決め凹部と上記第１のレンズホルダとの２つの接点における上記第１のレンズホルダの２つの接線がなす角の１／２の角度であり、ｂは上記第２の位置決め凹部と上記第２のレンズホルダとの２つの接点における上記第２のレンズホルダの２つの接線がなす角の１／２の角度である。）
【請求項２】
上記第１のレンズホルダと上記第２のレンズホルダとは、エポキシ樹脂によって作製されており、上記ベースは、マグネシウムによって作製されていること
を特徴とする請求項１記載の光ピックアップ装置。
【請求項３】
上記第１のレンズから出力された光を整形する整形光学系を備え、
上記第１のレンズの焦点距離がＦＬＤであり、上記整形光学系が、第１のレンズから出力された光を、上記第１の位置決め凹部と上記第１のレンズホルダとの２つの接点における上記第１のレンズホルダの２つの接線がなす角の２等分線に沿った方向を第１の方向としたときの、上記第１の方向の長さがβ倍（但し、β＞０。）となるように整形するときには、上記第１のレンズの実効焦点距離Ｆ１は、β×ＦＬＤであること
を特徴とする請求項１記載の光ピックアップ装置。
【請求項４】
上記光源は、波長が３８５ｎｍ以上４５０ｎｍ以下である光を出射すること
を特徴とする請求項１記載の光ピックアップ装置。
【請求項５】
光ディスクに照射する出射光を出射する光源と、
上記光源と上記光ディスクとの間の光路上に配置され、上記光源から出射される出射光を平行光に整形する第１のレンズと、
上記光ディスクの反射光を、上記光源から出射された出射光の光路から分離する分離手段と、
上記分離手段から出力される上記光ディスクの反射光を検出する光検出手段と、
上記光ディスクと上記反射光検出手段との間の光路上に配置され、上記光ディスクからの反射光を集光して、上記反射光検出手段に入射させる第２のレンズと、
上記第１のレンズを位置決めする第１の位置決め凹部と、上記第２のレンズを位置決めする第２の位置決め凹部とが形成されたベースとを備え、
上記第１の位置決め凹部は、上記第１のレンズの光軸と上記出射光の光軸とが一致するように、上記第１のレンズの外周面を２点支持し、
上記第２の位置決め凹部は、上記第２のレンズの光軸と上記出射光の光源とが一致するように、上記第２のレンズの外周面を２点支持し、
上記第１のレンズ、上記第２のレンズ、及び上記ベースは、それぞれ下記式２に示す条件を満たす材料によって作製されていること
を特徴とする光ピックアップ装置。
（α３−αｂ）／（α４−αｂ）×Ｒ３／Ｒ４×ｓｉｎａ／ｓｉｎｂ＝Ｆ１／Ｆ２…式２
（但し、α３は上記第１のレンズを作製する材料の線膨張率であり、α４は上記第２のレンズを作製する材料の線膨張率であり、αｂは上記ベースを作製する材料の線膨張率であり、Ｒ３は上記第１のレンズの半径であり、Ｒ４は上記第２のレンズの半径であり、Ｆ１は上記第１のレンズにおける実効焦点距離であり、Ｆ２は上記第２のレンズにおける実効焦点距離であり、ａは上記第１の位置決め凹部と上記第１のレンズとの接点における２つの接線がなす角の１／２の角度であり、ｂは上記第２の位置決め凹部と上記第２のレンズホルダとの接点における２つの接線がなす角の１／２の角度である。）
【請求項６】
上記第１のレンズから出力された光を整形する整形光学系を備え、
上記第１のレンズにおける焦点距離がＦＬＤであり、上記整形光学系が、上記第１のレンズから出力された光を、上記第１の位置決め凹部と上記第１のレンズホルダとの接点における２つの接線がなす角の２等分線に沿った方向を第１の方向としたときの、上記第１の方向の長さがβ倍（但し、β＞０。）となるように整形するときに、上記第１のレンズにおけるＹ軸方向の実効焦点距離Ｆ１は、β×ＦＬＤであること
を特徴とする請求項５記載の光ピックアップ装置。
【請求項７】
上記光源は、３８５ｎｍ以上４５０ｎｍ以下である光を出射すること
を特徴とする請求項５記載の光ピックアップ装置。
【請求項８】
光ディスクに対して情報を記録及び／又は再生する光ピックアップ装置を備える光ディスク装置において、
上記光ピックアップ装置は、
上記光ディスクに照射する出射光を出射する光源と、
上記光源と上記光ディスクとの間の光路上に配置され、上記光源から出射される出射光を平行光に整形する第１のレンズと、
上記第１のレンズを保持する第１のレンズホルダと、
上記光ディスクの反射光を、上記光源から出射された出射光の光路から分離する分離手段と、
上記分離手段から出力される上記光ディスクの反射光を検出する光検出手段と、
上記分離手段と上記光検出手段との間の反射光の光路上に配置され、上記分離手段から出力される上記光ディスクの反射光を集光して上記光検出手段に入射させる第２のレンズと、
上記第２のレンズを保持する第２のレンズホルダと、
上記第１のレンズホルダを位置決めする第１の位置決め凹部と、上記第２のレンズホルダを位置決めする第２の位置決め凹部とが形成されたベースとを備え、
上記第１の位置決め凹部は、上記第１のレンズホルダの外周面を２点支持し、
上記第２の位置決め凹部は、上記第２のレンズホルダの外周面を２点支持し、
上記第１のレンズホルダ、上記第２のレンズホルダ、及び上記ベースは、それぞれ下記式１に示す条件を満たす材料によって作製されていること
を特徴とする光ディスク装置。
（α１−αｂ）／（α２−αｂ）×Ｒ１／Ｒ２×ｓｉｎｂ／ｓｉｎａ＝Ｆ１／Ｆ２…式１
（但し、α１は上記第１のレンズホルダを作製する材料の線膨張率であり、α２は上記第２のレンズホルダを作製する材料の線膨張率であり、αｂは上記ベースを作製する材料の線膨張率であり、Ｒ１は上記第１のレンズの中心から上記ベースまでの距離であり、Ｒ２は上記第２のレンズの中心から上記ベースまでの距離であり、Ｆ１は上記第１のレンズにおける実効焦点距離であり、Ｆ２は上記第２のレンズにおける実効焦点距離であり、ａは第１の位置決め凹部と上記第１のレンズホルダとの２つの接点における上記第１のレンズホルダの２つの接線がなす角の１／２の角度であり、ｂは上記第２の位置決め凹部と上記第２のレンズホルダとの２つの接点における上記第２のレンズホルダの２つの接線がなす角の１／２の角度である。）
【請求項９】
光ディスクに対して情報を記録及び／又は再生する光ピックアップ装置を備える光ディスク装置において、
上記光ピックアップ装置は、
上記光ディスクに照射する出射光を出射する光源と、
上記光源と上記光ディスクとの間の光路上に配置され、上記光源から出射される出射光を平行光に整形する第１のレンズと、
上記光ディスクの反射光を、上記光源から出射された出射光の光路から分離する分離手段と、
上記分離手段から出力される上記光ディスクの反射光を検出する光検出手段と、
上記光ディスクと上記反射光検出手段との間の光路上に配置され、上記光ディスクからの反射光を集光して、上記反射光検出手段に入射させる第２のレンズと、
上記第１のレンズを位置決めする第１の位置決め凹部と、上記第２のレンズを位置決めする第２の位置決め凹部とが形成されたベースとを備え、
上記第１の位置決め凹部は、上記第１のレンズの光軸と上記出射光の光源とが一致するように、上記第１のレンズの外周面を２点支持し、
上記第２の位置決め凹部は、上記第２のレンズの光軸と上記出射光の光源とが一致するように、上記第２のレンズの外周面を２点支持し、
上記第１のレンズ、上記第２のレンズ、及び上記ベースは、それぞれ下記式２に示す条件を満たす材料によって作製されていること
を特徴とする光ディスク装置。
（α３−αｂ）／（α４−αｂ）×Ｒ３／Ｒ４×ｓｉｎａ／ｓｉｎｂ＝Ｆ１／Ｆ２…式２
（但し、α３は上記第１のレンズを作製する材料の線膨張率であり、α４は上記第２のレンズを作製する材料の線膨張率であり、αｂは上記ベースを作製する材料の線膨張率であり、Ｒ３は上記第１のレンズの半径であり、Ｒ４は上記第２のレンズの半径であり、Ｆ１は上記第１のレンズにおける実効焦点距離であり、Ｆ２は上記第２のレンズにおける実効焦点距離であり、ａは上記第１の位置決め凹部と上記第１のレンズとの接点における２つの接線がなす角の１／２の角度であり、ｂは上記第２の位置決め凹部と上記第２のレンズホルダとの接点における２つの接線がなす角の１／２の角度である。）
【手続補正２】
【補正対象書類名】明細書
【補正対象項目名】発明の名称
【補正方法】変更
【補正の内容】
【発明の名称】光ピックアップ装置及び光ディスク装置
【手続補正３】
【補正対象書類名】明細書
【補正対象項目名】０００１
【補正方法】変更
【補正の内容】
【０００１】
本発明は、光ディスクに対して光を照射して、光ディスクに対する情報の記録及び／又は再生を行う光ピックアップ装置及びこれを用いた光ディスク装置に関する。
【手続補正４】
【補正対象書類名】明細書
【補正対象項目名】００２０
【補正方法】変更
【補正の内容】
【００２０】
本発明は、以上説明した従来の実情を鑑みて提案されたものであり、受光素子における受光位置のずれが少なく、例えば青紫色光に対応した光ディスクに対する記録及び／又は再生を行うなど、光ディスクに対して高密度な記録及び／又は再生を行うときにも、十分に正確な記録及び／又は再生を行うことが可能な光ピックアップ装置及びこれを用いた光ディスク装置を提供することを目的とする。
【手続補正５】
【補正対象書類名】明細書
【補正対象項目名】００２１
【補正方法】変更
【補正の内容】
【００２１】
本発明に係る光ピックアップ装置は、光ディスクに照射する出射光を出射する光源と、上記光源と上記光ディスクとの間の光路上に配置され、上記光源から出射される出射光を平行光に整形する第１のレンズと、上記第１のレンズを保持する第１のレンズホルダと、上記光ディスクの反射光を、上記光源から出射された出射光の光路から分離する分離手段と、上記分離手段から出力される上記光ディスクの反射光を検出する光検出手段と、上記分離手段と上記光検出手段との間の反射光の光路上に配置され、上記分離手段から出力される上記光ディスクの反射光を集光して上記光検出手段に入射させる第２のレンズと、上記第２のレンズを保持する第２のレンズホルダと、上記第１のレンズホルダを位置決めする第１の位置決め凹部と、上記第２のレンズホルダを位置決めする第２の位置決め凹部とが形成されたベースとを備え、上記第１の位置決め凹部は、上記第１のレンズホルダの外周面を２点支持し、上記第２の位置決め凹部は、上記第２のレンズホルダの外周面を２点支持し、上記第１のレンズホルダ、上記第２のレンズホルダ、及び上記ベースは、それぞれ下記式１に示す条件を満たす材料によって作製されていることを特徴とする。
（α１−αｂ）／（α２−αｂ）×Ｒ１／Ｒ２×ｓｉｎｂ／ｓｉｎａ＝Ｆ１／Ｆ２…式１
（但し、α１は上記第１のレンズホルダを作製する材料の線膨張率であり、α２は上記第２のレンズホルダを作製する材料の線膨張率であり、αｂは上記ベースを作製する材料の線膨張率であり、Ｒ１は上記第１のレンズの中心から上記ベースまでの距離であり、Ｒ２は上記第２のレンズの中心から上記ベースまでの距離であり、Ｆ１は上記第１のレンズにおける実効焦点距離であり、Ｆ２は上記第２のレンズにおける実効焦点距離であり、ａは第１の位置決め凹部と上記第１のレンズホルダとの２つの接点における上記第１のレンズホルダの２つの接線がなす角の１／２の角度であり、ｂは上記第２の位置決め凹部と上記第２のレンズホルダとの２つの接点における上記第２のレンズホルダの２つの接線がなす角の１／２の角度である。）
【手続補正６】
【補正対象書類名】明細書
【補正対象項目名】００２２
【補正方法】変更
【補正の内容】
【００２２】
また、本発明に係る光ピックアップ装置は、光ディスクに照射する出射光を出射する光源と、上記光源と上記光ディスクとの間の光路上に配置され、上記光源から出射される出射光を平行光に整形する第１のレンズと、上記光ディスクの反射光を、上記光源から出射された出射光の光路から分離する分離手段と、上記分離手段から出力される上記光ディスクの反射光を検出する光検出手段と、上記光ディスクと上記反射光検出手段との間の光路上に配置され、上記光ディスクからの反射光を集光して、上記反射光検出手段に入射させる第２のレンズと、上記第１のレンズを位置決めする第１の位置決め凹部と、上記第２のレンズを位置決めする第２の位置決め凹部とが形成されたベースとを備え、上記第１の位置決め凹部は、上記第１のレンズの光軸と上記出射光の光軸とが一致するように、上記第１のレンズの外周面を２点支持し、上記第２の位置決め凹部は、上記第２のレンズの光軸と上記出射光の光軸とが一致するように、上記第２のレンズの外周面を２点支持し、上記第１のレンズ、上記第２のレンズ、及び上記ベースは、それぞれ下記式２に示す条件を満たす材料によって作製されていることを特徴とする。
（α３− αｂ）／（α４−αｂ）×Ｒ３／Ｒ４×ｓｉｎａ／ｓｉｎｂ＝Ｆ１／Ｆ２…式２
（但し、α３は上記第１のレンズを作製する材料の線膨張率であり、α４は上記第２のレンズを作製する材料の線膨張率であり、αｂは上記ベースを作製する材料の線膨張率であり、Ｒ３は上記第１のレンズの半径であり、Ｒ４は上記第２のレンズの半径であり、Ｆ１は上記第１のレンズにおける実効焦点距離であり、Ｆ２は上記第２のレンズにおける実効焦点距離であり、ａは上記第１の位置決め凹部と上記第１のレンズとの接点における２つの接線がなす角の１／２の角度であり、ｂは上記第２の位置決め凹部と上記第２のレンズホルダとの接点における２つの接線がなす角の１／２の角度である。）
【手続補正７】
【補正対象書類名】明細書
【補正対象項目名】００２３
【補正方法】変更
【補正の内容】
【００２３】
また、本発明に係る光ディスク装置は、光ディスクに対して情報を記録及び／又は再生する光ピックアップ装置を備える光ディスク装置であって、上記光ピックアップ装置は、上記光ディスクに照射する出射光を出射する光源と、上記光源と上記光ディスクとの間の光路上に配置され、上記光源から出射される出射光を平行光に整形する第１のレンズと、上記第１のレンズを保持する第１のレンズホルダと、上記光ディスクの反射光を、上記光源から出射された出射光の光路から分離する分離手段と、上記分離手段から出力される上記光ディスクの反射光を検出する光検出手段と、上記分離手段と上記光検出手段との間の反射光の光路上に配置され、上記分離手段から出力される上記光ディスクの反射光を集光して上記光検出手段に入射させる第２のレンズと、上記第２のレンズを保持する第２のレンズホルダと、上記第１のレンズホルダを位置決めする第１の位置決め凹部と、上記第２のレンズホルダを位置決めする第２の位置決め凹部とが形成されたベースとを備え、上記第１の位置決め凹部は、上記第１のレンズホルダの外周面を２点支持し、上記第２の位置決め凹部は、上記第２のレンズホルダの外周面を２点支持し、上記第１のレンズホルダ、上記第２のレンズホルダ、及び上記ベースは、それぞれ下記式１に示す条件を満たす材料によって作製されていることを特徴とする。
（α１−αｂ）／（α２−αｂ）×Ｒ１／Ｒ２×ｓｉｎｂ／ｓｉｎａ＝Ｆ１／Ｆ２…式１
（但し、α１は上記第１のレンズホルダを作製する材料の線膨張率であり、α２は上記第２のレンズホルダを作製する材料の線膨張率であり、αｂは上記ベースを作製する材料の線膨張率であり、Ｒ１は上記第１のレンズの中心から上記ベースまでの距離であり、Ｒ２は上記第２のレンズの中心から上記ベースまでの距離であり、Ｆ１は上記第１のレンズにおける実効焦点距離であり、Ｆ２は上記第２のレンズにおける実効焦点距離であり、ａは第１の位置決め凹部と上記第１のレンズホルダとの２つの接点における上記第１のレンズホルダの２つの接線がなす角の１／２の角度であり、ｂは上記第２の位置決め凹部と上記第２のレンズホルダとの２つの接点における上記第２のレンズホルダの２つの接線がなす角の１／２の角度である。）
【手続補正８】
【補正対象書類名】明細書
【補正対象項目名】００２４
【補正方法】変更
【補正の内容】
【００２４】
また、本発明に係る光ディスク装置は、光ディスクに対して情報を記録及び／又は再生する光ピックアップ装置を備える光ディスク装置であって、上記光ピックアップ装置は、上記光ディスクに照射する出射光を出射する光源と、上記光源と上記光ディスクとの間の光路上に配置され、上記光源から出射される出射光を平行光に整形する第１のレンズと、上記光ディスクの反射光を、上記光源から出射された出射光の光路から分離する分離手段と、上記分離手段から出力される上記光ディスクの反射光を検出する光検出手段と、上記光ディスクと上記反射光検出手段との間の光路上に配置され、上記光ディスクからの反射光を集光して、上記反射光検出手段に入射させる第２のレンズと、上記第１のレンズを位置決めする第１の位置決め凹部と、上記第２のレンズを位置決めする第２の位置決め凹部とが形成されたベースとを備え、上記第１の位置決め凹部は、上記第１のレンズの光軸と上記出射光の光源とが一致するように、上記第１のレンズの外周面を２点支持し、上記第２の位置決め凹部は、上記第２のレンズの光軸と上記出射光の光源とが一致するように、上記第２のレンズの外周面を２点支持し、上記第１のレンズ、上記第２のレンズ、及び上記ベースは、それぞれ下記式２に示す条件を満たす材料によって作製されていることを特徴とする。
（α３−αｂ）／（α４−αｂ）×Ｒ３／Ｒ４×ｓｉｎａ／ｓｉｎｂ＝Ｆ１／Ｆ２…式２
（但し、α３は上記第１のレンズを作製する材料の線膨張率であり、α４は上記第２のレンズを作製する材料の線膨張率であり、αｂは上記ベースを作製する材料の線膨張率であり、Ｒ３は上記第１のレンズの半径であり、Ｒ４は上記第２のレンズの半径であり、Ｆ１は上記第１のレンズにおける実効焦点距離であり、Ｆ２は上記第２のレンズにおける実効焦点距離であり、ａは上記第１の位置決め凹部と上記第１のレンズとの接点における２つの接線がなす角の１／２の角度であり、ｂは上記第２の位置決め凹部と上記第２のレンズホルダとの接点における２つの接線がなす角の１／２の角度である。）
【手続補正９】
【補正対象書類名】明細書
【補正対象項目名】００２５
【補正方法】変更
【補正の内容】
【００２５】
本発明に係る光ピックアップ装置及びこれを用いた光ディスク装置には、下記式１を満たす材料によって、ベースと、第１のレンズホルダと、第２のレンズホルダとが作製されている。
【手続補正１０】
【補正対象書類名】明細書
【補正対象項目名】００２６
【補正方法】変更
【補正の内容】
【００２６】
（α１−αｂ）／（α２−αｂ）×Ｒ１／Ｒ２×ｓｉｎｂ／ｓｉｎａ＝Ｆ１／Ｆ２…式１
本発明に係る光ピックアップ装置及びこれを用いた光ディスク装置は、周囲の温度変化によってベース、第１のレンズホルダ、第２のレンズホルダが膨張又は収縮したときにも、受光素子上に形成されるスポット位置がずれることを抑えることが可能となる。すなわち、本発明に係る光ピックアップ装置及びこれを用いた光ディスク装置は、周囲が高温や低温などの常温から外れた温度であるときにも、光ディスクに対して情報信号を高密度記録したり、高密度記録された光ディスクに対して情報信号を再生することを正確に実効することが可能となり、信頼性が高いものとなる。
【手続補正１１】
【補正対象書類名】明細書
【補正対象項目名】００２７
【補正方法】変更
【補正の内容】
【００２７】
また、本発明に係る光ピックアップ装置及びこれを用いた光ディスク装置は、Ｒ１／Ｒ２＝Ｆ１／Ｆ２、且つａ＝ｂを満足する第１のレンズ及び第２のレンズを採用することにより、同じ材料によって作製された第１のレンズホルダと、第２のレンズホルダとを使用することが可能となるために、コストダウンを図ることが可能となる。
【手続補正１２】
【補正対象書類名】明細書
【補正対象項目名】００２８
【補正方法】変更
【補正の内容】
【００２８】
また、本発明に係る光ピックアップ装置及びこれを用いた光ディスク装置は、Ｒ１＝Ｒ２、Ｆ１／Ｆ２＝１、且つａ＝ｂを満足する第１のレンズ及び第２のレンズを採用することにより、第１のレンズホルダと、第２のレンズホルダとを共通部品とすることが可能となるために、コストダウンを図ることが可能となる。
【手続補正１３】
【補正対象書類名】明細書
【補正対象項目名】００２９
【補正方法】変更
【補正の内容】
【００２９】
また、本発明に係る光ピックアップ装置及びこれを用いた光ディスク装置は、下記式２を満たす材料によって、ベースと、第１のレンズと、第２のレンズとが作製されている。
【手続補正１４】
【補正対象書類名】明細書
【補正対象項目名】００３０
【補正方法】変更
【補正の内容】
【００３０】
（α３−αｂ）／（α４−αｂ）×Ｒ１／Ｒ２×ｓｉｎｂ／ｓｉｎａ＝Ｆ１／Ｆ２…式２
本発明に係る光ピックアップ装置及びこれを用いた光ディスク装置は、周囲の温度変化によってベース、第１のレンズ、第２のレンズが膨張又は収縮したときにも、受光素子上に形成されるスポット位置がずれることを抑えることが可能となる。すなわち、本発明に係るピックアップ装置及びこれを用いた光ディスク装置は、周囲が高温や低温などの常温から外れた温度であるときにも、光ディスクに対して情報信号を高密度記録したり、高密度記録された光ディスクに対して情報信号を再生することを正確に実効することが可能となり、信頼性が高いものとなる。